(57)【要約】【課題】ディスクカートリッジセンタコアとドライブスピンドルとの係合面の面精度の低下に起因する係合不良を解消する。【解決手段】チャッキング時にセンタコア１０が、ドライブスピンドル２０に対し少なくとも３箇所で点接触する態様で、ドライブスピンドル２０上に位置決めされるようにする。センタコア１０の底面に少なくとも３個の突起１０ｄを設け、これら突起１０ｄの下端Ｐをドライブスピンドル２０の上面２１ａに点接触させる。【選択図】　　　　　図２
2004103122.tif 000002
【特許請求の範囲】
【請求項１】
センタコアを中心位置に固定した記録媒体としてのディスクをハウジング内に回転自在に収容して、ドライブスピンドルを備えたドライブ装置に装填されるディスクカートリッジにおける前記センタコアの前記ドライブスピンドルに対するチャッキング構造であって、
チャッキング時に前記センタコアが、前記ドライブスピンドルに対し少なくとも３箇所で点接触する態様で、前記ドライブスピンドル上に位置決めされることを特徴とするセンタコアのチャッキング構造。
【請求項２】
前記センタコアの底面に少なくとも３個の突起が設けられ、該突起の下端が前記ドライブスピンドルの上面に点接触していることを特徴とする請求項１記載のセンタコアのチャッキング構造。
【発明の詳細な説明】
【０００１】
【発明の属する技術分野】
本発明は、センタコアを中心位置に固定した記録媒体としてのディスクをハウジング内に回転自在に収容して、ドライブスピンドルを備えたドライブ装置に装填されるディスクカートリッジにおける上記センタコアの上記ドライブスピンドルに対するチャッキング構造に関するものである。
【０００２】
【従来の技術】
従来より、デジタルカメラ等のモバイル機器においては、記録媒体として例えば「ｃｌｉｋ！（登録商標）」と呼ばれる超小型の磁気ディスクカートリッジが使用されている。
【０００３】
この磁気ディスクカートリッジ１は、図４（ａ）〜（ｃ）にその平面図、右側面図および底面図を示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【０００４】
この磁気ディスクカートリッジ１は、幅５３ｍｍ、奥行き８５ｍｍ、厚さ５ｍｍの寸法を有するＴＹＰＥＩＩ　ＰＣカード型のドライブ装置が備えているスロットに挿入態様で装填されるように構成され、このドライブ装置は、磁気ディスク５のセンタコア１０を磁気吸着するドライブスピンドルを備えたスピンドルモータと、回転するドライブスピンドルの表面にアクセスして情報の記録再生を行なう磁気ヘッドとが設けられている。
【０００５】
磁気ディスクカートリッジ１のハウジングには、ドライブ装置が備えている磁気ヘッドを磁気ディスク５の表面にアクセスさせるためのＶ字状の開口６が形成され、この開口６は、バネ部材により閉方向に付勢されたロータリーシャッタ７により開閉される。このロータリーシャッタ７は、ハウジング内に設けられているシャッタロック部材１１によって図４（ａ），（ｃ）に示す閉位置にロックされている。
【０００６】
また、ハウジングの左側面先端部には、ドライブ装置内の係合部材に係合させて、ドライブ装置内での位置決めを確実にするためのノッチ８が形成され、右側面先端部には、シャッタロック部材１１を外部に臨ませる小窓９が形成されている。シャッタロック部材１１は、ドライブ装置への磁気ディスクカートリッジ１の挿入時にドライブ装置内のロック解除部材により押圧されてロータリーシャッタ７のロックを解除するように構成されている。
【０００７】
ハウジングの下シェル４には、磁気ディスク５のセンタコア１０にドライブ装置のドライブスピンドルを結合させるための円形の開口４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【０００８】
図５は、上記センタコア１０をドライブスピンドル２０とともに示す断面図で、中心孔１０ａを備えたセンタコア１０は鉄系金属素材により形成され、その平坦な上面１０ｂが磁気ディスク５の貼付面とされ、底面１０ｃがドライブスピンドル２０に対する係合面とされている。
【０００９】
一方、ドライブスピンドル２０は、芯となるスピンドル本体２１と、センタコア１０を磁気吸着するマグネット２２とを備え、スピンドル本体２１の平坦な上面２１ａが、センタコア１０に対する係合面となっている。そして、磁気ディスクカートリッジ１がドライブ装置に装填されると、がマグネット２２によってスピンドル本体２１上に吸着され、面１０ｃ，２１ａ同士が面接触した状態でセンタコア１０がドライブスピンドル２０に係合するように構成されている。
【００１０】
【発明が解決しようとする課題】
しかしながら、センタコア１０とドライブスピンドル２０とが、上述のように面１０ｃと面２１ａとを面接触させた態様で係合している場合、センタコア１０の係合面２１ａの面精度が低いと、センタコア１０が傾斜した状態でドライブスピンドル２０に係合してしまうことがあった。その場合、ドライブスピンドル２０の回転面と、磁気ディスク５の回転面との平行度が低下し、ドライブスピンドル２０が回転したとき、磁気ディスク５の面ブレが大きくなり、記録再生特性に悪影響を及ぼすという問題があった。
【００１１】
また、センタコア５の係合面１０ｃの面精度を維持することは非常に困難で、これがセンタコア１０の材料取得率の低下やコストアップを招いていた。
【００１２】
上述の事情に鑑み、本発明は、従来のようなセンタコアとドライブスピンドルとの係合面の面精度の低下に起因する係合不良の問題を効果的に解消させたチャッキング構造を提供することを目的とするものである。
【００１３】
【課題を解決するための手段】
本発明は、センタコアを中心位置に固定した記録媒体としてのディスクをハウジング内に回転自在に収容して、ドライブスピンドルを備えたドライブ装置に装填されるディスクカートリッジにおける上記センタコアの上記ドライブスピンドルに対するチャッキング構造であって、
チャッキング時に上記センタコアが、上記ドライブスピンドルに対し少なくとも３箇所で点接触する態様で、上記ドライブスピンドル上に位置決めされることを特徴とするものである。
【００１４】
この構成は、センタコアの底面に少なくとも３個の突起を設け、これら突起をドライブスピンドルの上面に点接触させることによって達成することができるが、
ドライブスピンドル側に突起を設けてもよい。これら突起は円錐状または半球状が好ましく、また、マグネットによる吸着力のバランス上、少なくとも３個の突起が軸線を中心にした円周上に等間隔に、すなわち、突起が３個の場合１２０°の角度間隔を保って、さらに突起が４個の場合９０°の角度間隔を保って配置されているのが好ましい。
【００１５】
また、上記突起は、切削によってセンタコアと一体に形成されることが最も好ましいが、樹脂材、ゴム材を使用してセンタコアと別体に設けてもよい。さらに、センタコア側の突起に対向するドライブスピンドルの上面に凹部を設け、突起の下端を凹部の底面で受けるようにしてもよい。
【００１６】
【発明の効果】
本発明によれば、センタコアが、ドライブスピンドルに対し少なくとも３箇所で点接触する態様でドライブスピンドル上に位置決めされるので、従来のようなセンタコアの面精度不良に起因する係合不良が低減され、センタコアの材料取得率が向上し、コスト低減を達成することができる。
【００１７】
また、この構成は、センタコアとドライブスピンドルとの間に異物を挟み込んだ場合にも平行度が悪化しないという効果もあり、さらに、突起をゴム材で形成することによって制振効果を得ることもできる。
【００１８】
さらに、突起の下端を凹部の底面で受けることによって、ドライブスピンドルに対するセンタコアの位置ズレを防止することができる。
【００１９】
【発明の実施の形態】
以下、本発明の実施の形態について、図面を参照して詳細に説明する。
【００２０】
図１（ａ），（ｂ）は本発明によるチャッキング構造に使用されるセンタコアの断面図および底面図である。
【００２１】
中心孔１０ａを備えたセンタコア１０は鉄系金属素材により形成され、その平坦な上面が磁気ディスク５の貼付面１０ｂとされ、４個の円錐状突起１０ｄが突設されている。これら４箇の突起１０ｄは、軸線を中心にした円周上に９０°の角度間隔を保って配置されている。
【００２２】
図２は、図１に示したセンタコア１０がドライブスピンドル２０上に係合した状態を示す要部の拡大断面図である。
【００２３】
ドライブスピンドル２０は、芯となるスピンドル本体２１と、センタコア１０を磁気吸着するマグネット２２とを備え、図５に示した構成と同様に、スピンドル本体２１の平坦な上面２１ａが、センタコア１０に対する係合面となっているが、本実施の形態の場合は、センタコア１０の円錐状の突起１０ｄの下端Ｐが、スピンドル本体２１の上面２１ａに点接触している。センタコア１０が「ｃｌｉｋ！（登録商標）」のセンタコアである場合、突起１０ｄのセンタコア１０の底面に接する部分の直径が０．５〜２ｍｍ、高さが０．２〜１ｍｍ程度が好ましい。
【００２４】
このように、本実施の形態においては、センタコア５の底面に形成された４個の突起１０ｄの下端Ｐが、スピンドル本体２１の上面に点接触する態様でドライブスピンドル２０上に位置決めされるので、従来のようなセンタコア１０の面精度の低下に起因する係合不良が低減され、センタコア１０の材料取得率が向上し、コスト低減を達成することができる。
【００２５】
また、センタコア１０とドライブスピンドル２０との間に異物を挟み込んだ場合にも平行度が悪化しないという効果もある。
【００２６】
図３は、本発明の他の実施の形態を図２に対応させて示す要部の拡大断面図である。本実施の形態において、センタコア１０は図１および図２と同様の構成を有するが、ドライブスピンドル２０のスピンドル本体２１の上面２１ａに、センタコア１０の突起１０ｄを収容する凹部２１ｂが設けられ、この凹部２１ｂの底面に、突起１０ｄの下端Ｐが点接触している。
【００２７】
図３に示す構成によれば、図２に示した構成が有する上述した効果に加えて、ドライブスピンドル２０に対するセンタコア１０の位置ズレを防止することができる効果もある。
【図面の簡単な説明】
【図１】図１（ａ），（ｂ）は本発明によるチャッキング構造に使用されるセンタコアの断面図および底面図
【図２】図１のセンタコアがドライブスピンドル上に係合した状態を示す要部の拡大断面図
【図３】本発明の他の実施の形態を図２に対応させて示す要部の拡大断面図
【図４】図４（ａ）〜（ｃ）は、従来のディスクカートリッジの一例構成を示す平面図、右側面図および背面図
【図５】図４のディスクカートリッジのセンタコアをドライブスピンドルとともに示す断面図
【符号の説明】
１　　磁気ディスクカートリッジ
５　　磁気ディスク
１０　　センタコア
１０ｄ　　突起
２０　　ドライブスピンドル
２１　　スピンドル本体
２１ａ　　スピンドル本体の上面
２１ｂ　　凹部
２２　　マグネット
【図１】
2004103122.tif 000003
【図２】
2004103122.tif 000004
【図３】
2004103122.tif 000005
【図４】
2004103122.tif 000006
【図５】
2004103122.tif 000007